(57)【特許請求の範囲】
【請求項１】
植栽すべき建物の支持面に敷設された、複数の孔が形成された可撓性第１シート状部材と、
前記支持面を区画する区画手段とを有し、該区画手段が、前記第１シート状部材に載置された第１部分と、該第１部分から上方に延びる第２部分とを有し、前記第１部分が上方に折り曲げられた少なくとも１つのフック部を備え、該フック部は前記第１シート状部材の前記孔に、前記フック部が前記第１シート状部材の下面から下方に突出するように、配置され、
前記第１シート状部材の下面と前記フック部との間を通って延びるように配置されたロッド部材を有する、
植栽装置。
【請求項２】
積載される土壌が前記第１シート状部材から流出するのを防ぐための、前記第１シート状部材に載置される第２シート状部材を有する、請求項１記載の植栽装置。
【請求項３】
前記フック部材の先端部が前記第２部分に向けて延ばされている、請求項１又は請求項２記載の植栽装置。
【請求項４】
前記区画手段が、その幅方向に延びる複数の第１ロッドと、該第１ロッドと共に格子を形成するように前記第１ロッドに取り付けられた第２ロッドとを有し、前記各第２ロッドの下方先端に前記フック部が設けられている、請求項１乃至請求項３のいずれか一項記載の植栽装置。
【請求項５】
前記第１シート状部材の孔が、前記区画手段の互いに隣接する第２ロッドのフック部間の間隔に対応する間隔を隔てて設けられている、請求項１乃至請求項４のいずれか一項記載の植栽装置。
【請求項６】
前記第２シート状部材が空気透過性である、請求項２乃至請求項５のいずれか一項記載の植栽装置。
【請求項７】
建物の支持面に植栽する方法であって、
複数の孔が形成された可撓性第１シート状部材を前記建物の支持面に敷設し、
水平方向に延びる第１部分と、該第１部分から上方に延びる第２部分とを有する、前記建物の支持面を区画するための区画手段を、前記第１部分が前記可撓性第１シート状部材に載置するように、配置し、
前記区画手段の前記第１部分に設けられたフック部を前記第１シート状部材の前記孔に、前記フック部が第１シート状部材の下面から下方に突出するように、配置し、ロッド部材を前記シート状部材の下面と前記フック部との間を通って延びるように配置することによって、前記区画手段を可撓性第１シート状部材に係止し、
積載される土壌が前記第１シート状部材から流出するのを防ぐための第２シート状部材を前記第１シート状部材に載置し、
前記第２シート状部材に土壌を積載し、
前記土壌に草木を配置する、
ことを含む、植栽方法。
【請求項８】
前記建物の前記支持面が傾斜しているときに、前記区画手段の前記第２部分が前記支持面の傾斜と直交して延びるように、前記区画手段が配置される、請求項７記載の植栽方法。
【請求項９】
前記支持面の上方端に向いた、前記区画手段の前記第２部分の上流側面に第２シート状部材を配置する、請求項８記載の植栽方法。
【請求項１０】
前記建物の前記支持面を前記区画手段の前記第２部分によって連続的又は断続的に囲むように、前記区画手段を前記可撓性第１シート状部材に配置する、請求項７乃至請求項９のいずれか一項に記載の植栽方法。
【請求項１１】
前記建物の前記支持面を囲む前記区画手段の前記第２部分の内側面に第２シート状部材を配置する、請求項１０記載の植栽方法。
【請求項１２】
前記第２部分の前記内側面と、該内側面に配置される前記第２シート状部材との間に、シート状に形成された芝部材を介在させる、請求項１１記載の植栽方法。
【請求項１３】
前記建物の前記支持面が互いに角度をなす２つの支持面部分からなるときに、前記第１シート状部材を、一方の前記支持面部分から他方の前記支持面部分に延びるように、前記支持面に敷設する、請求項７乃至請求項１２のいずれか一項に記載の植栽方法。
【請求項１４】
前記第２シート状部材が空気透過性である、請求項７乃至請求項１３のいずれか一項に記載の植栽方法。
【請求項１５】
前記支持面に防水加工が施されている、請求項７乃至請求項１４のいずれか一項に記載の植栽方法。
【発明の詳細な説明】
【０００１】
【発明の属する技術分野】
本発明は、植栽装置及び植栽工法に関し、特に、建物のベランダや屋根に植栽するための装置、工法に関する。
【０００２】
【従来の技術】
建物の支持面、例えば、ベランダや、傾斜のついた屋根を緑化する、或いは、これらに植栽することが知られている。
このような植栽の仕方として、例えば、防水加工された傾斜屋根に植栽する場合に、防水加工面に剛性なプレートを敷設し、このプレート上に土及び任意の肥料等からなる土壌を敷き詰めて土壌層を形成し、この土壌層の上面に所望の草木、例えば、芝や花などを植えるという工法が従来から知られている。
【０００３】
【発明が解決しようとする課題】
ところで、上記工法では、土壌による土圧は剛性なプレートを介して防水加工面に伝えられるため、実際には、剛性なプレートは土圧を局所的にしか防水加工面に伝えることができず、防水加工面に対する剛性なプレートの係合力は十分なものではなかった。
しかして、上記工法では、剛性なプレートを防水加工面に堅固に取り付けるために、剛性プレートを貫通して防水加工面に食い込む各種固定具を用いていた。
しかしながら、防水加工面に固定具を食い込ませるときには漏水のおそれがあるので、前記固定具周辺領域に、別途、コーキング作業が必要になるという問題がある。
本発明は、上述問題点を解決するためになされたものであり、別途のコーキングを必要としない植栽装置及び植栽方法を提供することを目的とする。
【０００４】
【課題を解決するための手段】
上記目的を達成するため、本発明の植栽装置は、植栽すべき建物の支持面に敷設される、複数の孔が形成された可撓性第１シート状部材と、前記支持面を区画するための区画手段とを有し、該区画手段が、前記第１シート状部材に載置される第１部分と、該第１部分から上方に延びる第２部分とを有し、前記第１部分が上方に折り曲げられた少なくとも１つのフック部を備え、前記区画手段の前記フック部を前記第１シート状部材の前記孔に、前記フック部が第１シート状部材の下面から下方に突出するように、配置したときに、前記シート状部材の下面と前記フック部との間を通って延びるように配置することができるロッド部材を有する、ことを特徴とする。
【０００５】
上記構成の植栽装置によれば、可撓性第１シート状部材を植栽すべき建物の支持面に敷設し、この第１シート状部材の上に土壌層を形成すると、この第１シート状部材は可撓性であるため、第１シート状部材は、そのほぼ全体で、下方に作用する土壌の土圧を建物の支持面に伝えることができ、すなわち、かかる土圧が第１シート状部材を建物の支持面に押し付け、これにより、可撓性第１シート状部材を、何らの固定手段を用いることなしに、建物の支持面、例えば、防水加工面に係止することができる。
【０００６】
また、区画手段を可撓性第１シート状部材に係止して建物の支持面を幾つかに区画することができるので、建物の支持面が傾斜している場合に、かかる傾斜方向と直交して第２部分が延びるように区画手段を複数列設けることによって、傾斜方向の下流に向って、すなわち、屋根の軒に向って作用する土圧を分散させて保持することができる。
更に、可撓性第１シート状部材に対する区画手段の係止は、これらの形状と、ロッド部材との組み合わせによって容易く行うことができる。
【０００７】
また、本発明においては、積載される土壌が前記第１シート状部材から流出するのを防ぐための、前記第１シート状部材に載置される第２シート状部材を有するのが好ましい。
更に、前記フック部材が前記第２部分に差し向けられているのが好ましい。
更にまた、前記区画手段が、その幅方向に延びる複数の第１ロッドと、該第１ロッドと共に格子を形成するように前記第１ロッドに取り付けられた第２ロッドとを有し、前記各第２ロッドの下方先端に前記フック部が設けられているのが好ましい。
【０００８】
また、前記第１シート状部材の孔が、前記区画手段の互いに隣接する第２ロッドのフック部間の間隔に対応する間隔を隔てて設けられているのが好ましい。
更に、前記第２シート状部材が空気透過性であるのが好ましい。
【０００９】
上記目的を達成するため、本発明の植栽方法は、建物の支持面に植栽する方法であって、複数の孔が形成された可撓性第１シート状部材を前記建物の支持面に敷設し、水平方向に延びる第１部分と、該第１部分から上方に延びる第２部分とを有する、前記建物の支持面を区画するための区画手段を、前記第１部分が前記可撓性第１シート状部材に載置するように、配置し、前記区画手段の前記第１部分に設けられたフック部を前記第１シート状部材の前記孔に、前記フック部が第１シート状部材の下面から下方に突出するように、配置し、ロッド部材を前記シート状部材の下面と前記フック部との間を通って延びるように配置することによって、前記区画手段を可撓性第１シート状部材に係止し、積載される土壌が前記第１シート状部材から流出するのを防ぐための第２シート状部材を前記第１シート状部材に載置し、前記第２シート状部材に土壌を積載し、前記土壌に草木を配置する、ことを含むことを特徴とする。
【００１０】
また、本発明においては、前記建物の前記支持面が傾斜しているときに、前記区画手段の前記第２部分が前記支持面の傾斜方向と直交して延びるように、前記区画手段が配置されるのが好ましい。
更に、前記支持面の上方端に向いた、前記区画手段の前記第２部分の上流側面に第２シート状部材を配置するのが好ましい。
更にまた、前記建物の前記支持面を前記区画手段の前記第２部分によって連続的又は断続的に囲むように、前記区画手段を前記可撓性第１シート状部材に配置するのが好ましい。
【００１１】
また、前記建物の前記支持面を囲む前記区画手段の前記第２部分の内側面に第２シート状部材を配置するのが好ましい。
更に、前記第２部分の前記内側面と、該内側面に配置される前記第２シート状部材との間に、シート状に形成された芝部材を介在させるのが好ましい。
更にまた、前記建物の前記支持面が互いに角度をなす２つの支持面部分からなるときに、前記第１シート状部材を、一方の前記支持面部分から他方の前記支持面部分に延びるように、前記支持面に敷設するのが好ましい。
また、前記第２シート状部材が空気透過性であるのが好ましい。
更に、前記支持面に防水加工が施されているのが好ましい。
【００１２】
【発明の実施の形態】
以下、添付図面を参照して、本発明の一実施形態について説明する。この実施形態は、本発明を傾斜した建物の支持面たる屋根に植栽するための植栽装置に適用したものである。
【００１３】
図１を参照すると、本発明による植栽装置を構成する可撓性第１シート状部材１と、区画手段２とが、建物Ｈの屋根２０の支持面に配置された状態で示されている。
第１シート状部材１は、樹脂で形成されており、可撓性を有している。また、図１及び図２からわかるように、この可撓性第１シート状部材１には、孔、この実施形態では長円形孔１Ａが間隔を隔てて前後左右に整列されて複数形成されている。
屋根２０の支持面に植栽するためには、先ず、屋根２０の支持面全体に可撓性第１シート状部材１を敷設する。
【００１４】
図１に示すように、屋根２０の支持面が互いに角度αをなす２つの支持面部分２０Ａ、２０Ｂからなる、すなわち、切妻型の屋根の支持面２０Ａ、２０Ｂに植栽するときには、第１シート状部材１を、一方の支持面部分２０Ａから棟Ｃを超えて他方の支持面部分２０Ｂに延びるように敷設するのが良い。というのは、本発明では、可撓性第１シート状部材１を屋根２０の支持面に固定具を用いて固定しないことを１つの特徴とするところ、前述したように、１つの第１シート状部材１を支持面部分２０Ａ、２０Ｂに亘って延びるように敷設すれば、屋根２０の支持面２０Ａ、２０Ｂからの第１シート状部材１の滑落をより防止することができる。
【００１５】
また、可撓性第１シート状部材１を屋根２０の支持面に敷設するに当たっては、図１に示すように、複数の可撓性第１シート状部材１を用いても良いし、１枚の可撓性第１シート状部材１によって植栽すべき屋根２０の支持面全体を覆っても良い。
尚、屋根２０の支持面は、防水処理が施されていること、すなわち、図４に示すように防水シート２１からなるのが好ましい。
【００１６】
区画手段２は、屋根２０の支持面、すなわち、屋根２０の支持面に敷設された可撓性第１シート状部材１を区画するためのものであり、図２で良くわかるように、第１シート状部材１に載置される第１部分２Ａと、この第１部分から上方に垂直に延びる第２部分２Ｂとを有する。
区画手段２は、その幅方向に延びる複数の第１ロッド２ａと、これらの第１ロッド２ａと共に格子を形成するように第１ロッド２ａに溶接された第２ロッド２ｂとを有する。
【００１７】
この実施形態では、第１ロッド２ａは互いに平行に配置され、第２ロッド２ｂもまた互いに平行に配置され、第２ロッド２ｂは第１ロッド２ａと直交するように配置されている。そして、各第２ロッド２ｂの下方先端、すなわち、第１部分２Ａを構成する各第２ロッド２ｂの自由端は、上方に、且つ、第２部分２Ｂに向けて折り曲げられたフック部ｈを構成するように形作られている。
【００１８】
屋根２０の支持面に植栽するためには、次に、区画手段２の第２部分２Ｂが支持面の傾斜Ｉと直交して延びるように、すなわち、棟Ｃと平行に延びるように、区画手段２を可撓性第１シート状部材１に係止する。かかる係止に当たっては、図３に示すように、区画手段２のフック部ｈを第１シート状部材１の孔１Ａに、フック部ｈ、特に、その折り曲げ部が第１シート状部材１の下面から下方に突出するように配置し、続いて、ロッド部材３を、第１シート状部材１の下面と、第１シート状部材１の下面から下方に突出するフック部ｈ（の折り曲げ部の内側）との間を通って延びるように配置する。ロッド部材３は、全体的に真っ直ぐな金属棒であるが、抜け防止のため一方の端部３Ａが本体に対して角度が付けられている。可撓性第１シート状部材１に対する区画手段２の係止が、これらの形状と、ロッド部材３との組み合わせによって容易く行うことができることが理解されよう。
【００１９】
第２部分２Ｂが棟Ｃと平行に延びるように区画手段２を可撓性第１シート状部材１に係止するに当たっては、フック部ｈが第２部分２Ｂよりも傾斜する支持面の上流に位置される。しかし、図１及び図２に示すように、第２部分２Ｂを棟Ｃに隣接して、棟Ｃに沿って、区画手段２を可撓性第１シート状部材１に係止するときには、フック部ｈは第２部分２Ｂよりも傾斜する支持面の下流に位置されることになる。
【００２０】
上述した仕方を繰り返して、屋根２０の全幅に亘って第２部分２Ｂが棟Ｃと平行に延びるように複数個の区画手段２を可撓性第１シート状部材１に係止する。かくして、図１及び図２に示す本実施形態では、屋根２０の全幅に亘って第２部分２Ｂが棟Ｃと平行に延びるように可撓性第１シート状部材１に係止された区画手段２の列が３つ形成されている。これら区画手段２の列の数は任意であり、また、列の設置間隔も任意である。
【００２１】
必ずしも必要ではないけれども、この実施形態では、屋根２０の各支持面２０Ａ、２０Ｂの側縁部にも、区画手段２を可撓性第１シート状部材１に配置、係止している。すなわち、各支持面２０Ａ、２０Ｂの側縁部に沿って、区画手段２の第２部分２Ｂが支持面の傾斜Ｉと平行に延びるように、区画手段２を可撓性第１シート状部材１に配置、係止している。かくして、この実施形態では、支持面２０Ａ、２０Ｂを区画手段２の第２部分２Ｂによって連続的に囲むように、区画手段２が可撓性第１シート状部材１に配置されている。この係止の仕方は、図２で良くわかるように、区画手段２の第１部分２Ａを屋根２０の支持面と可撓性第１シート状部材１との間に挿入し、区画手段２のフック部ｈを第１シート状部材１の孔１Ａに下方から引っ掛けるだけである。尚、支持面２０Ａ、２０Ｂの各隅部では、下から順に、屋根２０の支持面、区画手段２、可撓性第１シート状部材１、区画手段２が積層することになるが、図２では簡略化して示している。
【００２２】
屋根２０の支持面に植栽するためには、次に、第２シート状部材４を第１シート状部材１に載置する。第２シート状部材４は、後述するように、この第２シート状部材４の上から投入される土壌が第１シート状部材１から流出するのを防ぐためのものである。
【００２３】
第２シート状部材４は、図４から良く分かるように、屋根２０の支持面２０Ａ、２０Ｂの上方端、すなわち、棟Ｃに向いた、区画手段２の第２部分２Ｂの上流側面をも覆うように、配置されている。
第２シート状部材４は、この実施形態では、樹脂で作られた、多数の孔を有する網状シートである。第２シート状部材４を多数の孔を有する網状とすることによって、第２シート状部材４に積層される土壌、草木への通気を良くすることができる。第２シート状部材４は、土壌の流出防止のためのものであるから、通気用孔を備える必要は必ずしもない。
かくして敷設された第２シート状部材４には、土及び任意の肥料等からなる土壌が敷き詰められ、図４で良くわかるように、土壌層５が形成される。
この土壌層５には芝６のような草木が載置される。
【００２４】
美観上の観点から、屋根の支持面２０Ａ、２０Ｂの縁部に沿って配置された区画手段２の第２部分２Ｂの内側面には、シート状芝７がその芝面７Ａを（支持面２０Ａ、２０Ｂの）外側に向けて配置される。図４から良く分かるように、当該第２部分２Ｂの内側面に第２シート状部材４が配置されている場合には、第２部分２Ｂと第２シート状部材４との間にシート状芝７が配置されることになる。
【００２５】
また、シート状芝７の上方先端部は、図４から良く分かるように、芝６のような草木の一部を覆うように、（支持面２０Ａ、２０Ｂの）内方に折り曲げられ、留め部材８によって土壌層５、芝６に係止される。留め部材８は、木製であり、シャフト部と、シャフト部に取り付けられた拡大頭部とからなる。
【００２６】
第１シート状部材１は可撓性であるため、上述したように、第１シート状部材１に土壌層５を形成すると、第１シート状部材１は、そのほぼ全体で、下方に作用する土壌層５の土圧を建物の支持面２０Ａ、２０Ｂに伝えることができ、すなわち、かかる土圧が第１シート状部材全体を建物の支持面に押し付け、これにより、可撓性第１シート状部材１を、何らの固定手段を用いることなしに、建物の支持面支持面２０Ａ、２０Ｂに係止することができる。
【００２７】
また、可撓性第１シート状部材に係止することができる区画手段２を用いて支持面２０Ａ、２０Ｂを幾つかに区画することができるので、傾斜した支持面２０Ａ、２０Ｂの傾斜方向と直交して第２部分２Ｂが延びるように区画手段２を複数列設けることによって、傾斜方向の下流に向って、すなわち、屋根の軒に向って作用する土圧を、分散させて、区画手段２の第２部分２Ｂによって保持することができる。
【００２８】
最後に、図示した実施形態では、図１及び図４に示されるように、屋根２０の軒先（面）に、上方に延びる支持プレート９が取り付けられている。これらの支持プレート９は、作業中、区画手段２などが誤って屋根２０から滑落するのを防止するためのものである。
【００２９】
本発明は、上述した実施形態に限定されることなく、種々の変更が可能である。
例えば、上記実施形態では、屋根２０の全幅に亘って延びるように区画手段２の各列を形成したけれども、屋根２０の全幅に列をなして区画手段２を配置する必要はなく、配置の仕方は、屋根の軒に向って作用する土壌の土圧を分散させることができる配置であれば良く、例えば、千鳥に配置しても良い。
【００３０】
また、上述した実施形態では、棟Ｃに隣接して可撓性第１シート状部材１に係止した区画手段２の列を形成したけれども、かかる区画手段２の列は必ずしも必要ではない。
更に、第２シート状部材４、屋根２０の支持面２０Ａ、２０Ｂの傾斜Ｉと平行に延びる区画手段２の第２部分２Ｂの内側面、屋根２０の棟Ｃに隣接して、これに沿って配置された区画手段２の第２部分２Ｂの下流側面を覆うように、第２シート状部材４を配置しても良い。
【００３１】
【発明の効果】
以上のとおり、本発明は、別途のコーキングを必要としない植栽装置及び植栽方法を提供することができる。
【図面の簡単な説明】
【図１】本発明の植栽装置を用いて屋根に植栽する作業の一部を概略的に示す斜視図である。
【図２】図１の部分拡大概略斜視図である。
【図３】可撓性第１シート状部材への区画手段の係止状態を示す概略拡大図である。
【図４】図１の屋根の軒先における部分拡大概略断面図である。
【符号の説明】
１  可撓性第１シート状部材
２  区画手段
２Ａ  第１部分
２Ｂ  第２部分
ｈ  フック部
３  ロッド部材
【図１】
0003553051.tif 000002
【図２】
0003553051.tif 000003
【図３】
0003553051.tif 000004
【図４】
0003553051.tif 000005